(57)【特許請求の範囲】
【請求項１】
互いに垂直な第１方向および第２方向の双方に平行な面上に複数の単位画素組が２次元配列され、前記複数の単位画素組それぞれが前記第２方向に沿って配列された複数個の部分画素を含む表示パネルと、
各々前記第１方向に延在し共通の構成を有し前記第２方向に周期的に並列配置された複数個の単位レンズを含み、前記第２方向について前記単位画素組に対応して前記単位レンズが設けられており、前記表示パネルを物体面として該物体面上の画像を像面上に結像するレンズ部と、
前記レンズ部と前記表示パネルとの間に設けられ屈折率が可変である可変層と、
前記可変層の屈折率を調整する調整手段と、
を備えることを特徴とする画像表示装置。
【請求項２】
前記可変層が流体層であって、前記調整手段が該流体層の屈折率を調整する、ことを特徴とする請求項１に記載の画像表示装置。
【請求項３】
前記可変層が、前記表示パネル側の第１層と前記レンズ部側の第２層とに挟まれ、前記第１層，前記第２層および形状可変部材により閉空間を構成しており、その閉空間内に流体が充填されている、ことを特徴とする請求項２に記載の画像表示装置。
【請求項４】
観測位置までの距離を測定する測距センサを更に備え、
前記調整手段が前記測距センサによる距離測定結果に基づいて前記可変層の屈折率を調整する、
ことを特徴とする請求項１に記載の画像表示装置。
【請求項５】
前記レンズ部および前記可変層を含むＭ個の層が前記表示パネル上に存在し、
前記Ｍ個の層のうちの第ｍの層の厚さｔｍおよび屈折率ｎｍ、前記レンズ部から観測位置までの距離Ｌ１、前記表示パネルにおける前記第２方向に沿った前記部分画素の幅Ｗｇ、ならびに、前記像面における前記第２方向に沿った前記部分画素の像の幅Ｗｅの間に、ＷｇＬ１＝ＷｅΣ(ｔｍ／ｎｍ) なる関係が成り立つように、前記調整手段が前記可変層の屈折率を調整する、
ことを特徴とする請求項１に記載の画像表示装置（ただし、Ｍは２以上の整数、ｍは１以上Ｍ以下の各整数）。
【発明の詳細な説明】
【技術分野】
【０００１】
本発明は、複数の視点それぞれに向けて画像を表示することができる画像表示装置に関するものである。
【背景技術】
【０００２】
複数の視点それぞれに向けて画像を表示することができる画像表示装置は、例えばカーナビゲーションシステムにおいて運転席および助手席それぞれに座っている者に対して互いに異なる画像を表示したり、あるいは、同一人物の右目および左目それぞれに対して互いに異なる画像を表示することで立体画像と認識させたりすることができる。このような画像表示装置として、液晶などを用いた表示パネルと、複数のシリンドリカルレンズが並列配置されたレンチキュラレンズと、を備えるものが知られている（特許文献１参照）。
【先行技術文献】
【特許文献】
【０００３】
【特許文献１】特開２００８−１３４６１７号公報
【発明の概要】
【発明が解決しようとする課題】
【０００４】
レンチキュラレンズを用いた画像表示装置では、画像を認識することができる範囲が限定される。画像を観る観測者が左右方向（複数のシリンドリカルレンズが並列配置された方向）に移動した場合、その観測者の移動に応じて表示パネルに呈示する画像を操作することで、その観測者にとって画像を認識することができる範囲を追随させることができる。しかしながら、画像表示装置から観測者までの距離が変化した場合に、その観測者にとって画像を認識することができる範囲を追随させることができる技術は知られていない。
【０００５】
本発明は、上記問題点を解消する為になされたものであり、観測者までの距離が変化した場合に該観測者にとって画像を認識することができる範囲を追随させることができる画像表示装置を提供することを目的とする。
【課題を解決するための手段】
【０００６】
本発明の画像表示装置は、(1) 互いに垂直な第１方向および第２方向の双方に平行な面上に複数の単位画素組が２次元配列され、複数の単位画素組それぞれが第２方向に沿って配列された複数個の部分画素を含む表示パネルと、(2) 各々第１方向に延在し共通の構成を有し第２方向に周期的に並列配置された複数個の単位レンズを含み、第２方向について単位画素組に対応して単位レンズが設けられており、表示パネルを物体面として該物体面上の画像を像面上に結像するレンズ部と、(3) レンズ部と表示パネルとの間に設けられ屈折率が可変である可変層と、(4) 可変層の屈折率を調整する調整手段と、を備えることを特徴とする。
【０００７】
本発明の画像表示装置は、可変層が空気層であって、調整手段が該空気層の厚さを調整するのが好適である。或いは、可変層が流体層であって、調整手段が該流体層の屈折率を調整するのも好適である。また、可変層が、表示パネル側の第１層とレンズ部側の第２層とに挟まれ、第１層，第２層および形状可変部材により閉空間を構成しており、その閉空間内に流体が充填されているのも好適である。
【０００８】
本発明の画像表示装置は、観測位置までの距離を測定する測距センサを更に備え、調整手段が測距センサによる距離測定結果に基づいて可変層の屈折率を調整するのが好適である。
【０００９】
本発明の画像表示装置は、レンズ部および可変層を含むＭ個の層が表示パネル上に存在し、Ｍ個の層のうちの第ｍの層の厚さｔｍおよび屈折率ｎｍ、レンズ部から観測位置までの距離Ｌ１、表示パネルにおける第２方向に沿った部分画素の幅Ｗｇ、ならびに、像面における第２方向に沿った部分画素の像の幅Ｗｅの間に、ＷｇＬ１＝ＷｅΣ(ｔｍ／ｎｍ) なる関係が成り立つように、調整手段が可変層の屈折率を調整するのが好適である。ここで、Ｍは２以上の整数であり、ｍは１以上Ｍ以下の各整数である。
【発明の効果】
【００１０】
本発明によれば、観測者までの距離が変化した場合に、該観測者にとって画像を認識することができる範囲を追随させることができる。
【図面の簡単な説明】
【００１１】
【図１】画像表示装置１の概略構成および画像表示の原理を模式的に示す図である。
【図２】画像表示装置２の概略構成および画像表示の原理を模式的に示す図である。
【図３】第１実施形態の画像表示装置２Ａの構成を示す図である。
【図４】第１実施形態の画像表示装置２Ａにおける観測距離Ｌ１と空気層３３の厚さｔ３との関係を示すグラフである。
【図５】第１実施形態の画像表示装置２Ａにおいて表示パネル２０の各位置にある単位画素組２１の各部分画素２２から発した光が像面Ａ上に形成する像の分布を示すグラフである。
【図６】第１実施形態の画像表示装置２Ａにおいて表示パネル２０の各位置にある単位画素組２１の各部分画素２２から発した光が像面Ａ上に形成する像の分布を示すグラフである。
【図７】第１実施形態の画像表示装置２Ａにおいて表示パネル２０の各位置にある単位画素組２１の各部分画素２２から発した光が像面Ａ上に形成する像の分布を示すグラフである。
【図８】比較例において表示パネル２０の各位置にある単位画素組２１の各部分画素２２から発した光が像面Ａ上に形成する像の分布を示すグラフである。
【図９】比較例において表示パネル２０の各位置にある単位画素組２１の各部分画素２２から発した光が像面Ａ上に形成する像の分布を示すグラフである。
【図１０】比較例において表示パネル２０の各位置にある単位画素組２１の各部分画素２２から発した光が像面Ａ上に形成する像の分布を示すグラフである。
【図１１】第２実施形態の画像表示装置２Ｂの構成を示す図である。
【図１２】第２実施形態の画像表示装置２Ｂにおける観測距離Ｌ１と流体層３４の厚さｔ３との関係を示すグラフである。
【発明を実施するための形態】
【００１２】
以下、添付図面を参照して、本発明を実施するための形態を詳細に説明する。なお、図面の説明において同一の要素には同一の符号を付し、重複する説明を省略する。また、各図には説明の便宜の為にｘｙｚ直交座標系が示されている。
【００１３】
図１は、画像表示装置１の概略構成および画像表示の原理を模式的に示す図である。この画像表示装置１は２視点用である。画像表示装置１は、レンズ部１０および表示パネル２０を備え、表示パネル２０を物体面として該物体面上の画像をレンズ部１０により像面Ａ上に結像する。
【００１４】
レンズ部１０は、各々ｘ方向に延在し共通の構成を有するシリンドリカルレンズ１１１〜１１Ｋが単位レンズとして一定周期でｙ方向に並列配置されたレンチキュラレンズである。Ｋは２以上の整数である。シリンドリカルレンズ１１１〜１１Ｋそれぞれの光軸はＺ方向に平行である。レンズ部１０は概略的には平板形状のものであって、表示パネル２０に対向する面が平面であり、像面Ａに対向する面が凸面となっている。同図ではレンズ部１０の凸面の形状が示されている。
【００１５】
表示パネル２０は、ｘｙ平面上に複数の単位画素組２１が２次元配列されたものである。各単位画素組２１は、ｙ方向に沿って配列された２個の部分画素２２Ｌ，２２Ｒを含む。左目用部分画素２２Ｌと右目用部分画素２２Ｒとはｙ方向に交互に配置されている。なお、実際にはブラックマトリックスと呼ばれる遮蔽領域が左目用部分画素２２Ｌと右目用部分画素２２Ｒとの間に存在するが、ブラックマトリックスは省略されている。
【００１６】
単位画素組２１ｋがシリンドリカルレンズ１１ｋに対応しているとすると、単位画素組２１ｋの左目用部分画素２２Ｌから発した光がシリンドリカルレンズ１１ｋを経ることにより像面Ａ上に左目用像が形成され、単位画素組２１ｋの右目用部分画素２２Ｒから発した光がシリンドリカルレンズ１１ｋを経ることにより像面Ａ上に右目用像が形成される。
【００１７】
そして、像面Ａ上の左目用像の形成範囲にある観測者の左目の網膜には左目用画像が結像され、像面Ａ上の右目用像の形成範囲にある観測者の右目の網膜には右目用画像が結像される。したがって、各単位画素組２１の左目用部分画素２２Ｌおよび右目用部分画素２２Ｒそれぞれに適切な画像データが与えられることにより、左目および右目により立体画像が視認される。
【００１８】
表示パネル２０における画素ピッチ（各単位画素組２１ｋのｙ方向幅）をＰとする。各単位画素組２１ｋの左目用部分画素２２Ｌおよび右目用部分画素２２Ｒそれぞれのｙ方向幅をＷｇとする。ブラックマトリックスのｙ方向幅を無視すると、Ｗｇ＝Ｐ／２である。
【００１９】
各パラメータの設定方法の一例は以下のとおりである。先ず、適視距離Ｌ１を決定する。適視距離Ｌ１は、レンズ部１０から観測位置（像面Ａ）までの距離であって、観測者にとって最も立体視が得られやすいようにしたい距離である。次に、像面Ａにおける視認域のｙ方向幅Ｗｅを決定する。視認域幅Ｗｅは、像面Ａにおけるｙ方向に沿った部分画素の像の幅である。次に、三角形の相似の関係に基づいて、画像表示装置１における表示パネル２０上の等価厚Ｌ２（＝Ｌ１×Ｗｇ／Ｗｅ）を決定する。この等価厚Ｌ２は、表示パネル２０から発した光がレンズ部１０の外部に出るまでの等価的な厚さである。
【００２０】
そして、画像表示装置１における表示パネル２０上の各層の厚さ及び屈折率を決定する。このとき、表示パネル２０上にＭ個の層があって、そのうちの第ｍの層の厚さをｔｍとし屈折率をｎｍとしたとき、Ｌ２＝Σ(ｔｍ／ｎｍ) となるようにする。表示パネル２０上の各層は、レンズ部１０の他、例えば、ガラス、偏光板、レンズ、接着剤などである。Ｍは２以上の整数であり、ｍは１以上Ｍ以下の各整数である。
【００２１】
観測距離Ｌ１において観測者が立体視を得ることができるようにする為には、視認域幅Ｗｅは、観測者の眼間距離の半分以上であることが必要であり、２視点の場合は通常眼間距離より大きく設定される。Ｌ２、ｔｍ、ｎｍの関係については、各層の厚さｔｍを用いた画素の実際の配置においてスネルの法則より各層での光線角度θを計算することにより、sinθ≒tanθ が成立する範囲では、実際の配置と等価厚Ｌ２を用いた図１の配置とが等価であることが証明され得る。また、中央の単位画素組から最外の単位画素組までの距離をＭｐＰとすると、観測距離Ｌ１での視認域を揃えるため、レンズピッチＰＬはＰＬ＝Ｐ・Ｌ１／(Ｌ１＋Ｌ２) と書ける。
【００２２】
領域ＢＬ，ＢＲは、最外の単位画素組（ｙ＝±ＭｐＰ）が形成する視認域がオーバーラップする部分である。領域ＢＬでは、各単位画素組２１ｋの左目用部分画素２２Ｌから発した光が対応するシリンドリカルレンズ１１ｋを経た後に全て重なる。また、領域ＢＲでは、各単位画素組２１ｋの右目用部分画素２２Ｒから発した光が対応するシリンドリカルレンズ１１ｋを経た後に全て重なる。観測者の左目が領域ＢＬに存在し且つ観測者の右目が領域ＢＲに存在する場合に、観測者による立体画像の視認が可能である。
【００２３】
図２は、画像表示装置２の概略構成および画像表示の原理を模式的に示す図である。この画像表示装置２は４視点用である。この場合、表示パネル２０の各単位画素組２１は、ｙ方向に沿って配列された４個の部分画素２２１〜２２４を含む。各単位画素組２１の４個の部分画素２２１〜２２４それぞれのｙ方向幅をＷｇとすると、Ｗｇ＝Ｐ／４である。
【００２４】
領域Ｂ１では、各単位画素組２１ｋの第１視点用部分画素２２１から発した光が対応するシリンドリカルレンズ１１ｋを経た後に全て重なる。領域Ｂ２では、各単位画素組２１ｋの第２視点用部分画素２２２から発した光が対応するシリンドリカルレンズ１１ｋを経た後に全て重なる。領域Ｂ３では、各単位画素組２１ｋの第３視点用部分画素２２３から発した光が対応するシリンドリカルレンズ１１ｋを経た後に全て重なる。また、領域Ｂ４では、各単位画素組２１ｋの第４視点用部分画素２２４から発した光が対応するシリンドリカルレンズ１１ｋを経た後に全て重なる。４つの領域Ｂ１〜Ｂ４それぞれに互いに異なる画像を表示することができる。
【００２５】
図１および図２を対比して判るように、各単位画素組２１に含まれる部分画素２２の数（すなわち、視点数）が増えると、各部分画素２２に対応する領域Ｂの大きさが制限され、特に各領域Ｂのｚ方向幅が狭くなる。画像表示装置から観測者までの距離が変化して、観測者の目が領域Ｂから外れると、その観測者は画像を認識することができなくなる。
【００２６】
本実施形態の画像表示装置は、観測者までの距離が変化した場合に該観測者にとって画像を認識することができる範囲Ｂを追随させるものである。その為に、本実施形態の画像表示装置は、レンズ部１０および表示パネル２０に加えて、レンズ部１０と表示パネル２０との間に設けられ厚さ又は屈折率が可変である可変層と、可変層の厚さ又は屈折率を調整する調整手段と、を備える。調整手段は、可変層の厚さ及び屈折率の双方を調整してもよい。可変層は複数あってもよい。
【００２７】
本実施形態の画像表示装置は、可変層の厚さ又は屈折率を調整することにより、観測者までの距離が常に観測距離Ｌ１となるようにする。すなわち、設定されている部分画素幅Ｗｇおよび視認域幅Ｗｅに対し、Σ(ｔｍ／ｎｍ)Ｗｅ／Ｗｇが画像表示装置から観測位置までの距離と等しくなるように、可変層の厚さ又は屈折率を調整する。
【００２８】
可変層の厚さの調整については、可変層に対して−ｚ側にある層に対して、可変層に対して＋ｚ側にある層を機械的に動かすことにより、実現可能である。可変層の屈折率の調整については、例えば電圧印加により密度が変わり屈折率が変わるような材料を可変層に使用することにより、実現可能である。一般的な可変量を考慮すると、可変層の屈折率を調整するより可変層の厚さを調整する方が効果的である。
【００２９】
なお、通常、レンズ部１０の各単位レンズ１１の曲率半径は、各層の厚さ及び屈折率を含む各パラメータを考慮して最適化する。それ故、各層の厚さ又は屈折率が異なると、レンズ部１０の各単位レンズ１１の曲率半径は最適なものではなくなってしまい、画質が若干劣化することも有り得るが、立体可視には大きな影響は与えない。
【００３０】
レンズピッチＰＬについては、ＰＬ＝Ｐ・Ｌ１／(Ｌ１＋Ｌ２) と書ける。また、三角形の相似の関係によりＬ２＝Ｌ１Ｗｇ／Ｗｅ であるから、ＰＬ＝Ｐ／(１＋Ｗｇ／Ｗｅ) と書ける。Ｗｅを一定値にしている場合は、ＰＬはＬ１に依存しない。但し、実際には、この簡易設計値から若干変化させて、光線追跡などの解析を行い、輝度結果を考慮して更にＰＬを最適化させることが望ましい。
【００３１】
図３は、第１実施形態の画像表示装置２Ａの構成を示す図である。第１実施形態の画像表示装置２Ａは、図２に示された構成と同様に４視点用のものであって、レンズ部１０および表示パネル２０に加えて、ガラス板３１、偏光板３２、空気層３３および調整手段４１を備える。表示パネル２０の上に順に、ガラス板３１、偏光板３２、空気層３３およびレンズ部１０が積層されている。空気層３３が可変層であり、該空気層３３の厚さが調整され得る。
【００３２】
第１実施形態では、Ｐ＝４ＷP＝０.２ｍｍ、Ｗｅ＝３０ｍｍ、Ｍｐ＝５００、ＰＬ＝０.１９９７ｍｍ とする。ガラス板３１の厚さｔ１を０.２ｍｍとし、ガラス板３１の屈折率ｎ１を１.５５とする。偏光板３２の厚さｔ２を０.１５ｍｍとし、偏光板３２の屈折率ｎ２を１.５５とする。空気層３３の厚さｔ３を可変とし、空気層３３の屈折率ｎ３を１とする。また、レンズ部１０の厚さｔ４を０.２ｍｍとし、レンズ部１０の屈折率ｎ４を１.５５とする。レンズ部１０の各単位レンズ１１の曲率半径を０.３６ｍｍとする。
【００３３】
調整手段４１は、偏光板３２とレンズ部１０との間に設けられ、偏光板３２とレンズ部１０との間隔を調整することができる。調整手段４１は、例えばアクチュエータ（より具体的にはモータと結合してバネ圧を調整することが可能なバネ）であってもよい。画像表示装置２Ａは、観測者までの距離を測定する測距センサを備えるのが好適である。空気層３３の厚さｔ３は、観測者までの距離Ｌ１に基づいて調整される。空気層３３の厚さｔ３はｔ３＝(ＷｇＬ１／Ｗｅ−ｔ１／ｎ１−ｔ２／ｎ２−ｔ４／ｎ４)ｎ２ となるように調整手段４１により設定される。図４は、第１実施形態の画像表示装置２Ａにおける観測距離Ｌ１と空気層３３の厚さｔ３との関係を示すグラフである。
【００３４】
図５〜図７それぞれは、第１実施形態の画像表示装置２Ａにおいて表示パネル２０の各位置にある単位画素組２１の各部分画素２２から発した光が像面Ａ上に形成する像の分布を示すグラフである。図５は観測距離Ｌ１が３００ｍｍである場合の像分布を示し、図６は観測距離Ｌ１が４００ｍｍである場合の像分布を示し、図７は観測距離Ｌ１が５００ｍｍである場合の像分布を示す。各図（ａ）は、表示パネル２０のｙ＝０の位置にある単位画素組２１の各部分画素２２から発した光が像面Ａ上に形成する像の分布を示し、各図（ｂ）は、表示パネル２０のｙ＝＋ＭＰＰの位置にある単位画素組２１の各部分画素２２から発した光が像面Ａ上に形成する像の分布を示し、また、各図（ｃ）は、表示パネル２０のｙ＝−ＭＰＰの位置にある単位画素組２１の各部分画素２２から発した光が像面Ａ上に形成する像の分布を示す。空気層３３の厚さｔ３は観測距離Ｌ１に応じて調整された。
【００３５】
本実施形態では、中央（ｙ＝０）の単位画素組２２と両端（ｙ＝±ＭｐＰ）の単位画素組２２とで、第１〜第４の視点用部分画素２２のうち主要な強度分布を作るｙ方向領域が揃っている。中央（ｙ＝０）と両端（ｙ＝±ＭｐＰ）との間に存在する単位画素組２２についても同様のことが言える。その領域はＬ１が変わっても大きく変わらず、画像表示装置２Ａからの観測距離Ｌ１が変わっても立体視が確保されることが分かる。
【００３６】
図８〜図１０それぞれは、比較例において表示パネル２０の各位置にある単位画素組２１の各部分画素２２から発した光が像面Ａ上に形成する像の分布を示すグラフである。図８は観測距離Ｌ１が３００ｍｍである場合の像分布を示し、図９は観測距離Ｌ１が４００ｍｍである場合の像分布を示し、図１０は観測距離Ｌ１が５００ｍｍである場合の像分布を示す。各図（ａ）は、表示パネル２０のｙ＝０の位置にある単位画素組２１の各部分画素２２から発した光が像面Ａ上に形成する像の分布を示し、各図（ｂ）は、表示パネル２０のｙ＝＋ＭＰＰの位置にある単位画素組２１の各部分画素２２から発した光が像面Ａ上に形成する像の分布を示し、また、各図（ｃ）は、表示パネル２０のｙ＝−ＭＰＰの位置にある単位画素組２１の各部分画素２２から発した光が像面Ａ上に形成する像の分布を示す。空気層３３の厚さｔ３は０.３１ｍｍに固定された。比較例では、観測距離Ｌ１が４００ｍｍであるときは立体視可能であるものの、観測距離Ｌ１が変化すると、画素毎に主要な強度分布を作るｙ方向領域が全く異なり、立体視が得られなくなる。
【００３７】
なお、本実施形態の場合の図５（Ｌ１＝３００ｍｍ）および図７（Ｌ１＝５００ｍｍ）それぞれでクロストークが悪い。これは、レンズ部１０の各単位レンズ１１の曲率半径（すなわち、屈折力）が最適値からずれているからである。レンズ部１０の各単位レンズ１１の曲率半径が一定であっても、レンズ部１０の屈折率を変えることにより、屈折力を変えることができる。例えば、レンズ部１０の材料として電圧制御などにより屈折率が可変となる材料を用い、観測距離Ｌ１に応じて該屈折率を制御することにより、さらに画質を向上させることができる。本実施形態の場合、Ｌ１＝３００ｍｍではｎ４＝１.７２が適当であり、Ｌ１＝５００ｍｍではｎ４＝１.４３が適当である。
【００３８】
図１１は、第２実施形態の画像表示装置２Ｂの構成を示す図である。第２実施形態の画像表示装置２Ｂは、図２に示された構成と同様に４視点用のものであって、レンズ部１０および表示パネル２０に加えて、ガラス板３１、偏光板３２、流体層３４および形状可変部材４２を備える。表示パネル２０の上に順に、ガラス板３１、偏光板３２、流体層３４およびレンズ部１０が積層されている。流体層３４が可変層であり、該流体層３４の厚さ又は屈折率が調整され得る。
【００３９】
第２実施形態では、Ｐ＝４ＷP＝０.２ｍｍ、Ｗｅ＝３０ｍｍ、Ｍｐ＝５００、ＰＬ＝０.１９９７ｍｍ とする。ガラス板３１の厚さｔ１を０.２ｍｍとし、ガラス板３１の屈折率ｎ１を１.５５とする。偏光板３２の厚さｔ２を０.１５ｍｍとし、偏光板３２の屈折率ｎ２を１.５５とする。流体層３４の厚さｔ３を可変とし、流体層３４の屈折率ｎ３を１.５５とする。また、レンズ部１０の厚さｔ４を０.２ｍｍとし、レンズ部１０の屈折率ｎ４を１.５５とする。レンズ部１０の各単位レンズ１１の曲率半径を０.３６ｍｍとする。
【００４０】
流体層３４は、偏光板３２とレンズ部１０とに挟まれている。偏光板３２，レンズ部１０および形状可変部材４２により閉空間が構成されており、その閉空間内に流体が充填されている。形状可変部材４２はゴムのように伸び縮みする素材からなるのが好適である。閉空間内に充填される流体は液状またはゲル状の樹脂などであるのが好適である。流体層３４の厚さｔ３は、観測者までの距離Ｌ１に基づいて調整される。流体層３４の厚さｔ３はｔ３＝(ＷｇＬ１／Ｗｅ−ｔ１／ｎ１−ｔ２／ｎ２−ｔ４／ｎ４)ｎ２ となるように調整手段により設定される。図１２は、第２実施形態の画像表示装置２Ｂにおける観測距離Ｌ１と流体層３４の厚さｔ３との関係を示すグラフである。
【００４１】
第１実施形態のように可変層として空気層３３が設けられる場合には、空気層３３と偏光板３２との界面および空気層３３とレンズ部１０との界面それぞれにおいて光が反射することにより、画像が暗くなったり、外から入射した光が反射して見辛くなったりする。これに対して、第２実施形態では、他の層の材料の屈折率に近い屈折率を有する樹脂を流体層３４に用いることにより、これらの問題を低減することができる。
【符号の説明】
【００４２】
１，２，２Ａ，２Ｂ…画像表示装置、１０…レンズ部、１１…単位レンズ、２０…表示パネル、２１…単位画素組、２２…部分画素、３１…ガラス板、３２…偏向板、３３…空気層、３４…流体層、４１…調整手段、４２…形状可変部材。
【図１】
0005569546.tif 000002
【図２】
0005569546.tif 000003
【図３】
0005569546.tif 000004
【図４】
0005569546.tif 000005
【図５】
0005569546.tif 000006
【図６】
0005569546.tif 000007
【図７】
0005569546.tif 000008
【図８】
0005569546.tif 000009
【図９】
0005569546.tif 000010
【図１０】
0005569546.tif 000011
【図１１】
0005569546.tif 000012
【図１２】
0005569546.tif 000013